(57)【要約】      （修正有）【課題】調理器本体の長手方向を持ったとしても、複数の調理器本体間はたわむことがなく、天板も割れない堅固な組込み式加熱調理器を提供する。【解決手段】各調理器本体３７の底面には、各調理器本体３７間の橋渡しを行う金属で構成された補強部材５３がそれぞれネジなどの締結手段５４で固定され、各調理器本体３７を一体化し、調理器本体３７間、すなわち外郭間には、両者を橋渡しする補強部材５３が締結手段５４により固定されているため、天板１１を持つことによる外郭間の隙間の変化は発生せず、複数の外郭は一つの強固な外郭として成り立つようにする。【選択図】図１４
2012122717.tif 000002
【特許請求の範囲】
【請求項１】
鍋などの被加熱物を載置する天板と、前記天板の下方外周部に固定され前記天板とともにキッチンにセットされる天板支持体と、前記天板支持体に固定され前記天板と前記天板支持体を前記キッチンに固定する固定具と、前記天板の下方で前記天板支持体により支持される調理器本体とを備え、前記天板支持体は複数の前記調理器本体を支持し、複数の前記調理器本体から導出された複数の電源コードは、１つのケースユニット内に構成された端子台の１次側接続部にそれぞれ電気的に接続し、前記端子台の２次側接続部からは１つの主電源コードとして、前記ケースユニットから外部へ導出し、複数の前記調理器本体は、補強部材により各前記調理器本体間を連結した組み込み式加熱調理器。
【請求項２】
前記ケースユニットは、前記端子台を有する本体ケースと、前記本体ケースを着脱自在に覆う蓋ケースとで構成され、前記本体ケースは前記キッチン下方後方の壁に固定した請求項１に記載の組み込み式加熱調理器。
【請求項３】
前記天板支持体の周縁には補強部材を設けた請求項１または２に記載の組み込み式加熱調理器。
【発明の詳細な説明】
【技術分野】
【０００１】
本発明は、キッチンに組み込んで使用する組み込み式加熱調理器に関するものである。
【背景技術】
【０００２】
近年、ビルトイン調理機器においては、お客様からのニーズもより高いものとなり、様々な形態のものが開発され機能性、清掃性、デザイン性など日々進化している。その際、調理器本体とキッチンとの間には、できうる限り段差をなくし、鍋などの移動のしやすさ、天板の掃除のしやすさを向上させお客様の使い勝手をよくしてきている。加えて、調理器本体が正常に動かなくなったなどで、調理器本体内の部品の交換を行う場合、短時間で容易に作業ができることが求められてきている。
【０００３】
従来、この種の組み込み式加熱調理器としては、例えば、天板を下方から天板支持体で支持し、その下方には調理器本体を配置し、その調理器本体をキッチンに固定する固定具を具備しているものがあった（例えば、特許文献１、２参照）。
【０００４】
図１８、図１９は、従来の構成を示すものである。図に示すように、鍋などを載置するセラミックプレートなどで構成された天板１は、下方から天板支持体２によって支持されている。天板支持体２外周部にはフランジ部を設けており、フランジ部と天板１の空間にシリコンなどの耐熱性の接着材３が塗布され、両者を接着している。天板１、天板支持体２の下方には、調理器本体４を構成する外郭４ａが配置され、内部には基板５などの部品が内蔵され、天板支持体２に固定されている。外郭４ａの側面には、調理器本体４をキッチン６に固定する固定具７がネジ８で固定されており、固定具７に締結されている固定ネジ９が上下に移動することで、キッチン６が調理器本体４と固定ネジ９とで挟着され、調理器本体４が固定されている。天板１とキッチン６の隙間には、全周耐熱性のコーキング材１０が塗布され隙間が埋められている。
【先行技術文献】
【特許文献】
【０００５】
【特許文献１】特開平０９−８９２６９号公報
【特許文献２】特開２０００−２０５５７５号公報
【発明の概要】
【発明が解決しようとする課題】
【０００６】
しかしながら、前記従来の構成では、調理器本体４は、一つの天板１および天板支持体２に複数の外郭４ａが固定された場合に、各外郭４ａの間にはいくらかの隙間がどうしても生じてしまう。その構成で、天板１の長手方向の端面どうしを持つと、天板１が長手方向の下方向にたわんでしまい、天板１中央部に大きな応力がかかってしまう（天板割れの原因となる）。
【０００７】
本発明は、前記従来の課題を解決するもので、複数の調理器本体は、調理器本体の長手方向を持ったとしても、複数の調理器本体間はたわむことのないため、天板も割れない堅固なものとした組み込み式加熱調理器を提供することを目的とする。
【課題を解決するための手段】
【０００８】
前記従来の課題を解決するために、本発明の組み込み式加熱調理器は、鍋などの被加熱物を載置する天板と、前記天板の下方外周部に固定され前記天板とともにキッチンにセットされる天板支持体と、前記天板支持体に固定され前記天板と前記天板支持体を前記キッ
チンに固定する固定具と、前記天板の下方で前記天板支持体により支持される調理器本体とを備え、前記天板支持体は複数の前記調理器本体を支持し、複数の前記調理器本体から導出された複数の電源コードは、１つのケースユニット内に構成された端子台の１次側接続部にそれぞれ電気的に接続し、前記端子台の２次側接続部からは１つの主電源コードとして、前記ケースユニットから外部へ導出し、複数の前記調理器本体は、補強部材により各前記調理器本体間を連結したものである。
【０００９】
これによって、複数の調理器本体は、補強部材により各調理器本体間を連結したことにより、調理器本体の長手方向を持ったとしても、複数の調理器本体間はたわむことのないため、天板も割れない堅固なものとなる。
【発明の効果】
【００１０】
本発明の組み込み式加熱調理器は、複数の調理器本体を備え、補強部材により各調理器本体間を連結したことにより、調理器本体の長手方向を持ったとしても、複数の調理器本体間はたわむことのないため、天板も割れない堅固なものとなる。
【図面の簡単な説明】
【００１１】
【図１】本発明の参考の形態１における組み込み式加熱調理器の断面図
【図２】同組み込み式加熱調理器の裏面図
【図３】同組み込み式加熱調理器の他の構成を示す裏面図
【図４】本発明の参考の形態２における組み込み式加熱調理器の裏面図
【図５】本発明の参考の形態３における組み込み式加熱調理器の断面図
【図６】本発明の実施の形態４における組み込み式加熱調理器の断面図
【図７】同組み込み式加熱調理器の裏面図
【図８】本発明の参考の形態５における組み込み式加熱調理器の断面図
【図９】本発明の参考の形態６における組み込み式加熱調理器の背面図
【図１０】同組み込み式加熱調理器の断面図
【図１１】同組み込み式加熱調理器のケースユニットの内部構成を示す平面図
【図１２】本発明の実施の形態１における組み込み式加熱調理器のケースユニットの分解斜視図
【図１３】本発明の実施の形態２における組み込み式加熱調理器の正面図
【図１４】同組み込み式加熱調理器の裏面図
【図１５】本発明の実施の形態３における組み込み式加熱調理器の正面図
【図１６】同組み込み式加熱調理器の裏面図
【図１７】本発明の参考の形態７における組み込み式加熱調理器の断面図
【図１８】従来の組み込み式加熱調理器の断面図
【図１９】同従来の組み込み式加熱調理器の裏面図
【発明を実施するための形態】
【００１２】
第１の発明は、鍋などの被加熱物を載置する天板と、前記天板の下方外周部に固定され前記天板とともにキッチンにセットされる天板支持体と、前記天板支持体に固定され前記天板と前記天板支持体を前記キッチンに固定する固定具と、前記天板の下方で前記天板支持体により支持される調理器本体とを備え、前記天板支持体は複数の前記調理器本体を支持し、複数の前記調理器本体から導出された複数の電源コードは、１つのケースユニット内に構成された端子台の１次側接続部にそれぞれ電気的に接続し、前記端子台の２次側接続部からは１つの主電源コードとして、前記ケースユニットから外部へ導出し、複数の前記調理器本体は、補強部材により各前記調理器本体間を連結した。これによって、複数の調理器本体は、補強部材により各調理器本体間を連結したことにより、調理器本体の長手方向を持ったとしても、複数の調理器本体間はたわむことのないため、天板も割れない堅固なものとなる。また、天板支持体は複数の調理器本体を支持し、前記複数の調理器本体
から導出された複数の電源コードは、１つのケースユニット内に構成された端子台の１次側接続部にそれぞれ電気的に接続し、前記端子台の２次側接続部からは１つの主電源コードとして、前記ケースユニットから外部へ導出したことにより、地震などの危険があり、電源プラグを抜かなければならない場合でも、おおもとの主電源コード一つを抜くだけでよいので、より安心なものとなる。
【００１３】
第２の発明は、特に、第１の発明において、ケースユニットは、端子台を有する本体ケースと、本体ケースを着脱自在に覆う蓋ケースとで構成され、本体ケースはキッチン下方後方の壁に固定したことにより、サービス時、１つのバーナーの電源コードを取り外さなければならない場合でも、ケースユニットの蓋ケースだけを外せば、内部の電源コードの端子も外すことができるため、より簡単に作業ができるサービス性のよいものとなる。
【００１４】
第３の発明は、特に、第１または第２の発明において、天板支持体の周縁には補強部材を設けたことにより、調理器本体の長手方向を持ったとしても、複数の調理器本体間はたわむことのないため、天板も割れない堅固なものとなる。
【００１５】
以下、本発明の実施の形態について、図面を参照しながら説明する。なお、この実施の形態によって本発明が限定されるものではない。
【００１６】
（参考の形態１）
図１〜図３は、本発明の実施の形態１における組み込み式加熱調理器を示している。
【００１７】
図１に示すように、本参考の形態における組み込み式加熱調理器は、鍋などの被加熱物を載置するセラミックプレートなどで構成された天板１１と、天板１１の下方外周部に固定され天板１１とともにキッチン２３にセットされる天板支持体１２と、天板支持体１２に固定され天板１１と天板支持体１２をキッチン２３に固定する固定具２５と、天板１１の下方で天板支持体１２により支持される調理器本体１６とを備えている。
【００１８】
そして、調理器本体１６は、固定具２５とは別に天板支持体１２に対して下方からネジなどの締結手段２０により着脱自在に締結している。
【００１９】
また、天板支持体１２の天板１１下面との対向部には、周回状に形成された溝１３が、内周部には、下方向に段押しされ平面部を有する内フランジ１４がそれぞれ構成されている。溝１３と天板１１で囲われた領域には全周、耐熱性のシリコンなどからなる接着材１５が充満され、天板１１と天板支持体１２が接着、固定されている。
【００２０】
天板１１、天板支持体１２の下方には、調理器本体１６を構成する外郭１６ａが配置され、内部には調理器本体１６を駆動させる基板１７や基板１７を支持している基板支持台１８が収納されている。外郭１６ａの上部外周には、外向きの外フランジ１９が４辺形成され、外フランジ１９と天板支持体１２の内フランジ１４の面をネジなどの締結手段２０で下方より締結することにより、トップ部（天板１１および天板支持体１２）と外郭１６ａを着脱自在に固定している。
【００２１】
図２に示すように、本参考の形態においては、固定具２５はネジ２５ａにより前後２ヶ所下方より天板支持体１２に固定されている。調理器本体１６は、外郭１６ａの前方向の外フランジ１９部に２ヶ所、後方向の外フランジ１９部に２ヶ所の締結手段２０（ネジ）を締結して、調理器本体１６は、固定具２５とは別に天板支持体１２に対して下方から着脱自在に締結している。各外フランジ１９には固定具２５を避けるように切欠き１９ａが設けられている。
【００２２】
また、図１に戻り、調理器本体１６は、キッチン２３に設けた開口穴２１と、調理器本体１６のセット箇所である開口穴２１の周囲に設けた段差２２に設置され、天板支持体１２の溝１３底面が、キッチン２３の段差２２上面に当接することにより支持されている。
【００２３】
天板１１とキッチン２３の段差２２の隙間には、全周、耐熱性のシリコンなどからなるコーキング材２４が充満され、隙間を埋めている。これにより、天板１１とキッチン２３を一体化させている。また、天板支持体１２の内フランジ１４には、調理器本体１６が容易に動かないように、固定具２５がネジ２５ａで締結されているものであり、キッチン２３を天板支持体１２と固定具２５とで挟着することで、調理器本体１６をキッチン２３に強固に固定させている。
【００２４】
以上のように構成された組み込み式加熱調理器について、以下その動作、作用を説明する。
【００２５】
まず、上記構成において、調理器本体１６が何らかの理由で正常に動かなくなり、調理器本体１６内部の基板１７の交換を行う場合を考える。その際、調理器本体１６はビルトイン機器でキッチン２３に設置され、かつ天板１１周囲はコーキング材２４で埋められ、キッチン２３に固定されている。調理器本体１６をキッチン２３の上側から取り出そうとすると、コーキング材２４を切断し、天板１１から取り外さなければならない。ところが、調理器本体１６の構成において、外郭１６ａは天板支持体１２の下方に４ヶ所の締結手段２０により着脱自在に固定されている。よって、キッチン２３下方から引き出しを外したり、扉を開いたりして、キッチン２３内にもぐりこみ、締結手段２０を取り外すだけで、キッチン２３にコーキング材２４で接着されたトップ部から容易に取り外すことができる。
【００２６】
その際、固定具２５は、天板支持体１２に締結されているので、外郭１６ａを天板支持体１２から取り外す時には、取り外す必要はなく、容易に短時間で外郭１６ａを取り外すことができる。その後、取り外した外郭１６ａ内から基板１７を交換することで、基板交換作業を終えることができる。また、基板交換後、外郭１６ａを調理器本体１６にセットする際においても、キッチン２３内にもぐって、外郭１６ａと天板支持体１２を締結手段２０で締結するだけで、作業を簡単に完了させることができる。
【００２７】
以上のように、本参考の形態においては、天板にコーキング材が使用されて、調理器本体をキッチンの上側から取り外せないビルトイン機器において、基板交換などのメンテナンス作業が発生したとしても、キッチン下方から調理器本体を取り外すだけで、容易に短時間でメンテナンス作業が行えるサービス性がよいものとなる。また、コーキング材を切断する必要もないため、その際に発生する可能性のある天板への傷つき防止や、切断したコーキング材のゴミ発生も抑制することができるため、不良削減のできる信頼性の高い機器および環境にやさしいものとなる。
【００２８】
なお、本参考の形態では、締結手段２０のみの締結で調理器本体１６と天板支持体１２を締結しているが、天板支持体１２に調理器本体１６をセットする際、図３に示すように、天板支持体１２の内フランジ１４と外郭１６ａの外フランジ１９間に形成された爪と穴などの係止手段Ａで、外郭１６ａの外フランジ１９を天板支持体１２の内フランジ１４に引っ掛けて、仮固定してから締結手段２０で固定するようにすれば、締結手段２０を天板支持体１２に締結する際、外郭１６ａを持つ必要がないため、締結手段締結のためだけに作業を集中させることができる。このため、より作業がやりやすくなる。その際、外郭１６ａを天板支持体１２に数ｍｍスライドさせるが、そのスライド代分ｈは、固定具２５から逃がしておく必要がある。
【００２９】
また、ここでは、単独のバーナーで説明を行ったが、複数のバーナーを有していてもよいし、また一つの天板支持体に対して、複数の外郭を着脱自在に固定しても同様の効果が得られる。
【００３０】
さらに、加熱調理器の熱源は、誘導加熱コイル、ヒータ、ガスあるいはその他であってもよく、特に限定されるものではない。
【００３１】
（参考の形態２）
図４は、本発明の参考の形態２における組み込み式加熱調理器を示すものである。図において、基本的な構成は参考の形態１と同様であるため、構成の相違するところのみを説明する。
【００３２】
本参考の形態における組み込み式加熱調理器は、調理器本体１６の天板支持体１２への締結は複数の締結部で行うとともに、複数の締結部は調理器本体１６を一定の向きに位置決めするよう特徴付けしたものである。
【００３３】
本実施の形態では、外郭１６ａの前方の外フランジ１９に締結部Ａ２７と締結部Ｂ２８、後方の外フランジ１９には締結部Ｃ３０、締結部Ｄ３１があり、それぞれ天板支持体１２の内フランジ１４にネジなどの締結手段２０で締結されている。締結部Ａ２７と締結部Ｃ３０、さらに締結部Ｂ２８と締結部Ｄ３１は中心ライン３２に対し、非線対称の位置に配置されている。
【００３４】
以上のように構成された組み込み式加熱調理器について、以下その動作、作用を説明する。
【００３５】
動作、作用についても、参考の形態１の内容と相違する部分についてだけ述べるため、同様の内容は参考の形態１を参照とする。まず上記構成において、基板交換作業が終わり、外郭１６ａを天板支持体１２にセットする場合を考える。外郭１６ａは、ほぼ直方体形状であり、前後方向というのは、内部部品の配置や外観の一部の違いによって判断せざるを得ない場合がある。それで、サービスマンにおいても、もし前後がわかりづらい形状である場合に、前後を間違って天板支持体１２にセットしてしまうことがある。ところが、外郭１６ａの前方の外フランジ１９と後方の外フランジ１９の締結部との位置は対称ではないために、天板支持体１２に取り付ける際には、ネジ穴がずれて、機械的にセットすることができない。よって、どんなことがあっても、正常でない状態で外郭１６ａを取り付けることはできない。
【００３６】
以上のように、本参考の形態においては、天板にコーキング材が使用されて、調理器本体をキッチンの上側から取り外せないビルトイン機器において、基板交換などのメンテナンス作業後再び外郭をセットし直す場合でも、正常な方向でしか天板支持体にセットすることができないのでサービス性がよく、安全性の高いものとなる。
【００３７】
なお、複数の締結部は調理器本体１６を一定の向きに位置決めするよう特徴付けしたものであるが、前後の締結位置だけでなく、左右方向に特徴付けしてもよいし、締結位置は対称位置にあっても、例えば、片側に凸形状と凹形状を設けて、逆には取り付かない特徴付け構成としても同様の効果が得られる。
【００３８】
（参考の形態３）
図５は、本発明の参考の形態３における組み込み式加熱調理器を示すものである。図において、基本的な構成は実施の形態１と同様であるため、構成の相違するところのみを説明する。
【００３９】
本参考の形態における組み込み式加熱調理器は、キッチン２３の天板１１と天板支持体１２とのセット箇所に段差２２を設け、この段差２２に天板支持体１２の下面を設置し、天板１１上面とキッチン２３上面とを同一面Ｂとした（使用上において差支えのない程度の同一面であり、厳密な意味での同一面ではない）ものである。
【００４０】
以上のように構成された組み込み式加熱調理器について、以下その動作、作用を説明する。
【００４１】
動作、作用についても、参考の形態１の内容と相違する部分についてだけ述べるため、同様の内容は実施の形態１を参照とする。まず、上記構成において、調理器本体１６をキッチン２３に設置したことを考える。設置状態において、天板１１とキッチン２３は同一面になっているため、調理の準備時、鍋などの被加熱物を天板１１上に載せて移動させる際にも、同一面であるため容易に被加熱物を動かすこともできるし、また、調理後の天板１１上をお手入れする際にも、両者は同一面であるため、布巾でひと拭きするだけで容易に天板１１、キッチン２３上をきれいにすることができる。
【００４２】
以上のように、本実施の形態においては、天板にコーキング材が使用されて、調理器本体をキッチンの上側から取り外せないビルトイン機器において、お手入れを行う際、天板、キッチン上をひと拭きするだけで、全体をきれいにすることができるため、デザイン性がよく、また清掃性のよいものとなる。
【００４３】
なお、ここでは、天板１１のみを記載しているが、天板１１の周囲に端面を覆設するような枠体を天板に取り付けても、板厚レベルしか変わらないので、略同一面を構成させることができる。
【００４４】
（参考の形態４）
図６、図７は、本発明の参考の形態４における組み込み式加熱調理器を示すものである。図において、基本的な構成は参考の形態１と同様であるため、構成の相違するところのみを説明する。
【００４５】
本実施の形態における組み込み式加熱調理器は、天板支持体１２の溝１３の下部と、キッチン２３の段差２２間には、シール材３３を設けたものである。シール材３３としてはＥＰＤＭなどで構成された弾性体ものであり、全周に渡り、貼り付けられている。
【００４６】
以上のように構成された組み込み式加熱調理器について、以下その動作、作用を説明する。
【００４７】
動作、作用についても、実施の形態１の内容と相違する部分についてだけ述べるため、同様の内容は実施の形態１を参照とする。まず上記構成において、何らかの影響でコーキング材２４が劣化を起こし、亀裂が発生したことを考える。その際、調理やお手入れ時に水を使用したとき、その水が多くこぼれ、コーキング材２４の亀裂からキッチン２３に水が浸入していくことになる。ところが、天板支持体１２と段差２２の間には、天板支持体１２に貼り付けられたシール材３３があるために、例え、コーキング材２４から水浸入したとしても、溝１３と段差２２により挟着されているシール材３３により、キッチン２３内への水浸入が防止されるため、清潔なキッチン２３を構成させることができる。
【００４８】
以上のように、本実施の形態においては、天板にコーキング材が使用されて、調理器本体をキッチンの上側から取り外せないビルトイン機器において、例えコーキング材が劣化しても、キッチン内へ水浸入することのない、清潔で信頼性の高いものとなる。
【００４９】
なお、シール材３３は、弾性のあるものならよく、発泡シリコンやゴムで形成されたのシールテープでもよい。また、貼付だけでなく、塗布して接着してもよい。
【００５０】
（参考の形態５）
図８は、本発明の参考の形態５における組み込み式加熱調理器を示すものである。図において、基本的な構成は参考の形態１と同様であるため、構成の相違するところのみを説明する。
【００５１】
本参考の形態における組み込み式加熱調理器は、調理器本体１６内に調理器本体１６を駆動する基板１７と基板１７を支持している基板支持台１８を有し、この基板１７と電気的、機械的に接続された電源コード３４は外郭１６ａの後方側面の開口部３５から外へ導出し、キッチン２３内の後方に設置されているコンセント３６に接続されている。
【００５２】
以上のように構成された組み込み式加熱調理器について、以下その動作、作用を説明する。
【００５３】
動作、作用についても、参考の形態１の内容と相違する部分についてだけ述べるため、同様の内容は実施の形態１を参照とする。まず上記構成において、調理器本体１６をキッチン２３に設置することを考える。調理器本体１６をキッチン２３に入れると、電源コード３４は外郭１６ａの後方から出ているため、キッチン２３内の後方向に位置することになる。機器への電源供給を行うコンセント３６は、必ずキッチン２３の後方に位置しているために、調理器本体１６の設置状態では、電源コード３４はコンセント３６の近くに配置されることになり、スムーズにコンセント３６に接続することができる。また、電源コード３４の長さも無駄に長くさせる必要もないし、そのための配線作業（無駄に長いと、コードへの引っ掛かりを防止するため、クリップなどで配線を整える）も必要がなくなる。また、メンテナンスを行うため、調理器本体をキッチン２３から取り外す際にも、電源コード３４をコンセント３６から外すだけでよいし、その後、外郭１６ａを取り外せば、作業を行うことができる。
【００５４】
以上のように、本参考の形態においては、キッチンに設置を行うビルトイン機器が、設置しやすく短時間で作業でき、またサービス時、調理器本体を取り外す場合も簡単に作業できる施工性がよく、サービス性のよいものとなる。
【００５５】
なお、ここでは電源コード３４の出口を外郭１６ａの後方側面からで説明しているが、外郭１６ａの後方の底面からでも同様の効果が得られる。
【００５６】
（参考の形態６）
図９〜図１１は、本発明の参考の形態６における組み込み式加熱調理器を示すものである。図において、基本的な構成は参考の形態１と同様であるため、構成の相違するところのみを説明する。
【００５７】
本参考の形態における組み込み式加熱調理器は、天板支持体１２が複数の調理器本体３７を着脱自在に支持している。前記複数の調理器本体３７の後方側面から導出された複数の電源コード３８は、外郭が金属で構成された１つのケースユニット３９内に設けた樹脂製の端子台４０の１次側接続部４１にそれぞれ電気的、機械的にネジなどで接続している。前記端子台４０の２次側接続部４５からは１つの主電源コード４９として、前記ケースユニット３９から外部へ導出したものである。
【００５８】
図１１に示すように、電源コード３８は、充電部ラインＡ４２、Ｂ４３とアースライン
４４で構成され、それぞれの外郭３７ａから出た電源コード３８の各ラインは、充電部ラインＡ４２℃同士、充電部ラインＢ４３同士、またアースライン４４同士、同極間で接続されている。それぞれの同極と電気的に、また機械的にネジなどで接続された２次側接続部４５からは、充電部ラインＡ４６、Ｂ４７、アースライン４８を有する主電源コード４９が接続され、ケースユニット３９から外部へと導出されコンセント３６に接続されている。
【００５９】
ケースユニット３９は、台となる本体ケース５０に端子台４０が固定され、両者を覆設するように蓋ケース５１が本体ケース５０に締結する構成で、キッチン２３の下方後方に取り付けられている（複数のバーナーを有する一つの機器において、各バーナーの電源供給が独立している場合、おおもとの電源供給は一つの電源ラインから行い、それを各バーナーに分岐する必要がある）。
【００６０】
以上のように構成された組み込み式加熱調理器について、以下その動作、作用を説明する。
【００６１】
動作、作用についても、実施の形態１の内容と相違する部分についてだけ述べるため、同様の内容は実施の形態１を参照とする。上記構成において、調理器本体３７の１つのバーナーが何らかの理由で正常に動かなくなり、調理器本体３７内部の基板交換を行う場合を考える。その際、まず電気的に接続されているコンセント３６から主電源コード４９を抜く。そして、ケースユニット３９の蓋である蓋ケース５１を外す。その後、正常に動いていないバーナーに接続されている電源コード３８のみの充電部ラインＡ４２、Ｂ４３、アースライン４４を端子台４０の１次側接続部４１からネジを外して取り外す。後は、外郭３７ａを天板支持体１２から着脱すれば、基板交換の作業を行うことができる。基板交換が終われば、取り外しと逆の手順で取り付けていけば、容易にもとの状態に戻すことができる。
【００６２】
複数のバーナーがある調理器本体３７においても、不具合があったバーナーのみを交換、作業すればよいので、労力を使わず、短時間で作業を終えることができる。
【００６３】
以上のように、本実施の形態においては、天板にコーキング材が使用されて、調理器本体をキッチンの上側から取り外せないビルトイン機器において、基板交換などのメンテナンス作業が発生したとしても、異常があったバーナーだけの外郭の取り外しを行うだけで、作業することができるので、短時間で作業できるサービス性のよい機器を提供できる。
【００６４】
なお、主電源コード４９は各バーナーの電源をコンセント３６から導くおおもとのラインであるため、地震や火災などの災害が発生した際、主電源コード４９の１つを抜くだけで、各調理器本体３７への電源供給を止めることができるので、安心な機器となる。
【００６５】
また、ここでの説明でケースユニット３９は金属製としたが、難燃性の樹脂を使用しても同様の効果が得られる。
【００６６】
また、電源コード３８および主電源コード４９のケースユニット３９への入口は、上からでも下からでもよく、配線しやすい位置にすればよい。但し、全て下から入れてやると、例え、キッチン２３内に水が浸入し電源コード３８を伝わったとしても、ケースユニット３９内に入ることはないので、感電したりすることはない。
【００６７】
また、図１１において端子台４０での電源コード３８および主電源コード４９の配線を示しているが、これだけにかかわらず、各ラインが同極になるように配線すれば同様の効果が得られる。
【００６８】
（実施の形態１）
図１２は、本発明の実施の形態１における組み込み式加熱調理器のケースユニットを示すものである。図において、基本的な構成は参考の形態１、６と同様であるため、構成の相違するところのみを説明する。
【００６９】
本実施の形態における組み込み式加熱調理器のケースユニット３９は、端子台４０を有する本体ケース５０と、本体ケース５０を着脱自在に覆う蓋ケース５１とで構成され、本体ケース５０はキッチン２３下方後方の壁５２に固定したものである。したがって、蓋ケース５１は本体ケース５０が壁５２に固定された状態で、着脱自在に取り外しできる。
【００７０】
以上のように構成された組み込み式加熱調理器について、以下その動作、作用を説明する。
【００７１】
動作、作用についても、参考の形態６の内容と相違する部分についてだけ述べるため、同様の内容は参考の形態６を参照とする。まず上記構成において、調理器本体３７の１つのバーナーが何らかの理由で正常に動かなくなり、調理器本体３７内部の基板交換を行う場合を考える。その際、まず電気的に接続されているコンセント３６から主電源コード４９を抜く。そして、ケースユニット３９を開けるのであるが、本体ケース５０は端子台４０を固定した状態の単独で、キッチン２３の下方後方の壁５２に締結されているため、蓋ケース５１を取り外す際にも、本体ケース５０は壁５２についたままで作業できるので、作業しやすいし、また電源コード３８の接続を外す場合でも、端子台４０が壁５２についたまま作業ができるので、ネジの取り外しが容易にできる。
【００７２】
以上のように、本実施の形態においては、天板にコーキング材が使用されて、調理器本体をキッチンの上側から取り外せないビルトイン機器において、基板交換などのメンテナンス作業が発生したとしても、異常があったバーナーだけの外郭の取り外しを行うだけで、作業することができるし、またその電源コードを外す際にも、端子台がキッチンに固定された状態で作業することができるので、短時間で作業できるサービス性のよいものとなる。
【００７３】
なお、蓋ケース５１は本体ケース５０に直接締結してもよいし、また本体ケース５０を介して壁５２に締結してもよい。
【００７４】
（実施の形態２）
図１３、図１４は、本発明の実施の形態２における組み込み式加熱調理器を示すものである。図において、基本的な構成は参考の形態１、６と同様であるため、構成の相違するところのみを説明する。
【００７５】
本実施の形態における組み込み式加熱調理器は、複数の調理器本体３７間を、補強部材５３により連結したものである。具体的には、各調理器本体３７の底面には、各調理器本体３７間の橋渡しを行う金属で構成された補強部材５３がそれぞれネジなどの締結手段５４で固定され、各調理器本体３７を一体化している。
【００７６】
以上のように構成された組み込み式加熱調理器について、以下その動作、作用を説明する。
【００７７】
動作、作用についても、実施の形態６の内容と相違する部分についてだけ述べるため、同様の内容は実施の形態１を参照とする。まず、上記構成において、調理器本体３７をキッチン２３に設置することを考える。調理器本体３７は、一つの天板１１および天板支持
体１２に複数の外郭３７ａが固定されている。そのため、各外郭３７ａの間にはいくらかの隙間がどうしても生じてしまう。その構成で、天板１１の長手方向の端面どおしを持つと、天板１１が長手方向の下方向にたわんでしまい、天板１１中央部に大きな応力がかかってしまう（天板割れの原因となる）。ところが、調理器本体３７間、すなわち外郭３７ａ間には、両者を橋渡しする補強部材５３が締結手段５４により固定されているため、天板１１を持つことによる外郭３７ａ間の隙間の変化は発生せず、複数の外郭３７ａは一つの強固な外郭３７ａとして成り立つため、天板１１中央部に大きな応力はかからない。よって、設置時に天板１１が大きくたわむことなく、また天板１１が割れる心配もない。また、この構成で、設置後においても、調理器本体３７としての強度は増すので、よい強固な機器となることができる。
【００７８】
さらに、補強部材５３は下方から外郭３７ａ底面に締結固定されていることから、サービス時、外郭３７ａを外す際にも、調理器本体３７の下から容易に作業をすることができる。
【００７９】
以上のように、本実施の形態においては、調理器本体をキッチンに設置する際に、天板が破損することなく、正常にセットすることができる強固な機器を提供できるとともに、サービス時も容易に補強部材を外して、外郭を取り外すことのできるサービス性のよいものとなる。
【００８０】
なお、ここでは、補強部材５３を金属で説明したが、金属に限らず剛性の強いものであれば、樹脂でも何でもよい。また、補強部材５３は外郭３７ａ底面に締結固定することに限定されるものではない。
【００８１】
（実施の形態３）
図１５、図１６は、本発明の実施の形態３における組み込み式加熱調理器を示すものである。図において、基本的な構成は実施の形態１、６と同様であるため、構成の相違するところのみを説明する。
【００８２】
本実施の形態における組み込み式加熱調理器は、複数の調理器本体３７を支持した天板支持体１２の周縁の長手方向には直線状の補強部材５５を２本設けたものである。具体的には、天板支持体１２の周縁の溝１３近傍に、金属で構成された直線状の補強部材５５が、天板支持体１２の両端間に溶接などで固定されている。
【００８３】
以上のように構成された組み込み式加熱調理器について、以下その動作、作用を説明する。
【００８４】
動作、作用についても、実施の形態６の内容と相違する部分についてだけ述べるため、同様の内容は実施の形態１を参照とする。まず、上記構成において、調理器本体３７をキッチン２３に設置することを考える。調理器本体３７は、一つの天板１１および天板支持体１２に複数の外郭３７ａが固定されている。そのため、各外郭３７ａの間にはいくらかの隙間がどうしても生じてしまう。その構成で、天板１１の長手方向の端面どおしを持つと、天板１１が長手方向の下方向にたわんでしまい、天板１１中央部に大きな応力がかかってしまう（天板割れの原因となる）。ところが、天板支持体１２には計前後で２本の強固な補強部材５５が固定されているため、天板支持体１２自体がたわむことがなく、天板１１にも応力がかからない。
【００８５】
よって、設置時に天板１１が大きくたわむことなく、また天板１１が割れる心配もない。また、この構成で、設置後においても、調理器本体３７としての強度は増すので、よい強固な機器となることができる。
【００８６】
さらに、補強部材５５は天板支持体１２に固定されていることから、サービス時の外郭３７ａ取り外しには影響がなく、短時間に容易に作業をすることができる。
【００８７】
以上のように、本実施の形態においては、調理器本体をキッチンに設置する際に、天板が破損することなく、正常にセットすることができる強固な機器を提供できるとともに、サービス時も補強部材の影響なく容易に外郭を取り外すことのできるサービス性のよいものとなる。
【００８８】
なお、ここでは、補強部材５５を金属で説明したが、金属に限らず剛性の強いものであれば、樹脂でも何でもよい。また、ここでは補強部材５５は２本で説明したが、１本、３本、４本でもよい。また、補強部材５５を各辺に１本で説明したが、より強固な材料であれば、外郭３７ａ間の隙間がある部分近傍にだけ、取り付けても同様の効果が得られる。
【００８９】
（参考の形態７）
図１７は、本発明の参考の形態７における組み込み式加熱調理器を示すものである。図において、基本的な構成は参考の形態１と同様であるため、構成の相違するところのみを説明する。
【００９０】
本参考の形態における組み込み式加熱調理器は、天板支持体１２の内フランジ１４にネジなどの締結手段５６ａで締結されている固定具５６には締め付け部材としての固定ネジ５８を有し、この固定具５６の固定ネジ５８を下方から締結して天板支持体１２との間にキッチン２３を挟持し、天板支持体１２を介して調理器本体１６をキッチン２３に取り付けたものである。
【００９１】
固定具５６は参考の形態１に示す固定具２５のようにキッチン２３を直接挟持するのではなく、固定具５６の支持部５７に設けた上下に移動する固定ネジ５８でキッチン２３を挟持し、調理器本体１６をキッチン２３に強固に固定させている。
【００９２】
以上のように構成された組み込み式加熱調理器について、以下その動作、作用を説明する。
【００９３】
まず、上記構成において、調理器本体１６をキッチン２３に設置することを考える。キッチン２３の厚みは、各キッチンメーカーにより微妙に差がある（約５ｍｍ〜４０ｍｍ）。調理器本体１６の設置後、調理器本体１６が動かないように固定具５６を天板支持体１２に固定する。そして、固定具５６に取り付けられている固定ネジ５８を締結していく。そうすると、固定ネジ５８はキッチン２３に当接し調理器本体１６がキッチン２３に固定される。固定ネジ５８が締め上げられることで、調理器本体１６がキッチン２３に固定されるので、キッチン２３の厚みが一定でなくても（ネジが摺動する範囲）確実に固定することができる。つまり、様々なタイプのキッチン２３にこの固定具５６、固定ネジ５８の１種類で対応することができる。
【００９４】
以上のように、本参考の形態においては、天板にコーキング材が使用されて、調理器本体をキッチンの上側から取り外せないビルトイン機器において、外郭を外すだけで、調理器本体内の基板を取り外すことができ、またキッチンの厚みがいろんなものがあっても、確実に調理器本体を固定することができる施工性のよいものとなる。
【００９５】
なお、ここでは、固定具５６を調理器本体１６の設置後、後付けで行っているが、先に天板支持体１２に仮セットしておいて、開口穴２１に入れるまでは外郭１６ａの各側面に沿わして、開口穴２１より小さい状態にしておき、キッチン２３にセット後、固定具５６
を９０°回転させ、固定ネジ５８を締め付ける方法で行ってもよい。
【００９６】
また、固定具５６の位置も前後に限らず、左右方向につけてもよいし、全方向につけてもよい。
【００９７】
また、締め付け部材としての固定ネジ５８は、これに代えてバネ性のある金属や樹脂よりなる締め付け部材によりキッチン２３を押し上げても同様の効果がある。
【産業上の利用可能性】
【００９８】
以上のように、本発明にかかる組み込み式加熱調理器は、複数の調理器本体を備え、補強部材により各調理器本体間を連結したことにより、調理器本体の長手方向を持ったとしても、複数の調理器本体間はたわむことのないため、天板も割れない堅固なものとなるので、加熱調理器の熱源如何にかかわらずビルトインタイプの機器全般に適用できる。
【符号の説明】
【００９９】
１１  天板
１２  天板支持体
１３  溝
１４  内フランジ
１５  接着材
１６、３７  調理器本体
１６ａ、３７ａ  外郭
１７  基板
１８  基板支持台
１９  外フランジ
２０、５４、５６ａ  締結手段
２１  開口穴
２２  段差
２３  キッチン
２４  コーキング材
２５、５６  固定具
３３  シール材
３４、３８  電源コード
３６  コンセント
３９  ケースユニット
４０  端子台
４１  １次側接続部
４５  ２次側接続部
４９  主電源コード
５０  本体ケース
５１  蓋ケース
５２  壁
５３、５５  補強部材
５８  固定ネジ
【図１】
2012122717.tif 000003
【図２】
2012122717.tif 000004
【図３】
2012122717.tif 000005
【図４】
2012122717.tif 000006
【図５】
2012122717.tif 000007
【図６】
2012122717.tif 000008
【図７】
2012122717.tif 000009
【図８】
2012122717.tif 000010
【図９】
2012122717.tif 000011
【図１０】
2012122717.tif 000012
【図１１】
2012122717.tif 000013
【図１２】
2012122717.tif 000014
【図１３】
2012122717.tif 000015
【図１４】
2012122717.tif 000016
【図１５】
2012122717.tif 000017
【図１６】
2012122717.tif 000018
【図１７】
2012122717.tif 000019
【図１８】
2012122717.tif 000020
【図１９】
2012122717.tif 000021